(57)【要約】【課題】授乳するための開口部を開口しやすく、かつ体型にかかわらず授乳していないときに肌や下着が外から見えにくい授乳服を提供する。【解決手段】授乳服１００は、前身頃１１０と、後身頃１２０と、中間布１３０と、を備える。前身頃１１０は、着用者の身体側に配置された内側層１１２と、内側層１１２の外側に配置された外側層１１４と、を備え、着用者の胸部付近まで開口した襟刳り部１１６を有し、カシュクール状である。後身頃１２０は、前身頃１１０の方向に延びるように形成された脇線部１２２を有する。中間布１３０は、襟刳り部１１６から一端が露出するように内側層１１２の内側に配置され、前身頃１１０及び後身頃１２０の肩線１１０ａと、脇線部１２２と、に固定されている。襟刳り部１１６と、中間布１３０と、を互いに反対方向に引くことにより、授乳のための開口部を開口する。【選択図】図１
0003181803.tif 000002
【実用新案登録請求の範囲】
【請求項１】
着用者の身体側に配置された内側層と、前記内側層の外側に配置された外側層と、を備え、前記着用者の胸部付近まで開口した襟刳り部を有する、カシュクール状の前身頃と、
前記前身頃の方向に延びるように形成された脇線部を有する後身頃と、
前記襟刳り部から一端が露出するように前記内側層の内側に配置され、前記前身頃及び前記後身頃の肩線と、前記脇線部と、に固定された中間布と、
を備え、
前記襟刳り部と、前記中間布と、を互いに反対方向に引くことにより、授乳のための開口部を開口することを特徴とする授乳服。
【請求項２】
前記中間布は、さらに袖刳りに固定される、
ことを特徴とする請求項１に記載の授乳服。
【請求項３】
前記中間布の長さは、前記前身頃の長さよりも短い、
ことを特徴とする請求項１又は２に記載の授乳服。
【請求項４】
前記中間布は、丸首の襟部をさらに有する、
ことを特徴とする請求項１乃至３のいずれか１項に記載の授乳服。
【請求項５】
前記前身頃と前記後身頃とに固定されたスカート部をさらに有する、
ことを特徴とする請求項１乃至４のいずれか１項に記載の授乳服。
【請求項６】
前記外側層の前記襟刳り部の延長線上に繋がる布端が、前記脇線部において、ギャザーを設けて前記後身頃に固定され、
前記外側層の前記ギャザーを設けて前記後身頃に固定された側の下端部より前記内側層が露出している、
ことを特徴とする請求項１乃至４のいずれか１項に記載の授乳服。
【考案の詳細な説明】
【技術分野】
【０００１】
本考案は、授乳服に関する。
【背景技術】
【０００２】
母乳育児の場合、特に生後数カ月間の乳児には、頻繁に授乳をする必要がある。授乳をする際には、乳首を露出させて乳児の口にくわえさせるが、近年では、商業用施設、公共施設等の随所に授乳スペースが確保され、外出時でも人目を気にせず授乳できる環境が整いつつある。しかしながら、通常の衣服を着用したまま授乳する場合には、上衣のボタンを開けたり、上衣の裾を胸部付近までたくし上げなければならず、手間がかかっていた。
【０００３】
そこで、着用したままで授乳することの可能な授乳服が、数々開発されてきた。
【０００４】
例えば、特許文献１には、両脇にスリットを設けたインナーウェアと、アウターウェアと、からなる授乳服であって、アウターウェアの襟刳りからインナーウェアの前見頃を引き出して、前身頃の側部から乳房を露出させることのできる授乳服が開示されている。また、特許文献２には、授乳服本体の内側に配置されて前身頃に固定された略逆三角形の乳口覆い部を有する授乳服であって、乳口覆い部と襟刳り部との間を開口させて乳房を露出させることのできる授乳服が開示されている。
【先行技術文献】
【特許文献】
【０００５】
【特許文献１】登録実用新案第３１４８４５７号公報
【特許文献２】特開２００８−２１４７７６号公報
【考案の概要】
【考案が解決しようとする課題】
【０００６】
しかしながら、特許文献１に記載の授乳服では、アウターウェアの襟刳りを引いてインナーウェアのスリットをたくし上げるのに、手を脇の下辺りまで伸ばす必要があり、特に乳児を片手に抱きながら乳房を露出させる際には大きな動作を要するため、困難を伴う場合があった。また、特許文献２に記載の授乳服では、比較的容易に乳口覆い部と襟刳り部との間を開口させることができるものの、着用者の体型によっては略逆三角形の乳口覆い部と襟刳り部とが重なる部分の面積が小さくなるため、授乳をしていないとき、かがんだ姿勢をとった場合などに、乳口覆い部と襟刳り部との間から肌や下着が見えてしまう可能性があった。
【０００７】
本考案は、上記実情に鑑みてなされたものであり、授乳するための開口部を開口しやすく、かつ体型にかかわらず授乳していないときに肌や下着が外から見えにくい授乳服を提供することを目的とする。
【課題を解決するための手段】
【０００８】
上記目的を達成するため、本考案に係る授乳服は、
着用者の身体側に配置された内側層と、前記内側層の外側に配置された外側層と、を備え、前記着用者の胸部付近まで開口した襟刳り部を有する、カシュクール状の前身頃と、
前記前身頃の方向に延びるように形成された脇線部を有する後身頃と、
前記襟刳り部から一端が露出するように前記内側層の内側に配置され、前記前身頃及び前記後身頃の肩線と、前記脇線部と、に固定された中間布と、
を備え、
前記襟刳り部と、前記中間布と、を互いに反対方向に引くことにより、授乳のための開口部を開口することを特徴とする。
【０００９】
前記中間布は、さらに袖刳りに固定されてもよい。
【００１０】
前記中間布の長さは、前記前身頃の長さよりも短くてもよい。
【００１１】
前記中間布は、丸首の襟部をさらに有していてもよい。
【００１２】
前記前身頃と前記後身頃とに固定されたスカート部をさらに有していてもよい。
【００１３】
前記外側層の前記襟刳り部の延長線上に繋がる布端が、前記脇線部において、ギャザーを設けて前記後身頃に固定され、
前記外側層の前記ギャザーを設けて前記後身頃に固定された側の下端部より前記内側層が露出していてもよい。
【考案の効果】
【００１４】
本考案によれば、授乳するための開口部を開口しやすく、かつ体型にかかわらず授乳していないときに肌や下着が外から見えにくい授乳服を提供することができる。
【図面の簡単な説明】
【００１５】
【図１】本発明の一実施形態である授乳服の正面図である。
【図２】本発明の一実施形態である授乳服を着用した様子を説明する図である。
【図３】後身頃の脇線部を説明する図である。
【図４】中間布を説明する図である。
【図５】本発明の一実施形態である授乳服を裏返した様子を説明する図である。（ａ）は、授乳服を裏返した状態を説明する図であり、（ｂ）は、前身頃の重なりを点線で示した図である。
【図６】着用者の左胸を露出させるための開口部を開口する様子を説明する図である。
【図７】着用者の右胸を露出させるための開口部を開口する様子を説明する図である。
【図８】本発明の他の実施形態である授乳服を裏返した様子を説明する図である。
【考案を実施するための形態】
【００１６】
以下、本考案の実施形態について図面を参照して詳細に説明する。
【００１７】
図１は、本実施形態に係る授乳服１００を正面から見た図であり、図２は、授乳服１００を着用した状態を示した図であり、図３は、後身頃１２０の脇線部１２２近傍を拡大して示した図であり、図４は、中間布１３０を示した図であり、図５（ａ），（ｂ）は、裏返した状態の授乳服１００を示した図であり、図６は、着用者の左側の乳首を露出させるための開口部１５０ａを開口する様子を示した図であり、図７は、着用者の左側の乳首を露出させるための開口部１５０ｂを開口する様子を示した図である。
【００１８】
図１，図２に示すように、本考案の実施形態に係る授乳服１００は、前身頃１１０と、後身頃１２０と、中間布１３０と、袖１４０と、を備える。
【００１９】
前身頃１１０は、図１，図２に示すように、着用者の身体側に配置された内側層１１２と、内側層１１２の外側に配置された外側層１１４と、を備える。前身頃１１０においては、内側層１１２の一部と、外側層１１４の一部と、が授乳服１００の中央部付近で重ね合わされるように配置されており、内側層１１２及び外側層１１４の２枚の布の一部が打ち合わせになったカシュクール状に形成されている。前身頃１１０をカシュクール状とすることで、後述するように、授乳をするための開口部１５０ａ，１５０ｂを開口しやすくなる。内側層１１２と外側層１１４とは、略同一かつ互いに左右対称の形状を有している。
【００２０】
内側層１１２は、図１，図２に示すように、着用者の左胸及び腹部を覆うように配置される。内側層１１２は、左肩の肩線１１０ａと、左肩から右脇腹の方向に伸びる襟部１１２ａと、右側の脇線部１２２と、左袖の袖刳り１４２の延長線上にある左側の脇線部１２２と、を有する。襟部１１２ａの一端は左肩の肩線１１０ａに繋がり、襟部１１２ａの他端は右側の脇線部１２２に繋がっている。内側層１１２の裾（下部）の両端は、各々、右側及び左側の脇線部１２２に繋がっている。
【００２１】
外側層１１４は、図１，図２に示すように、着用者の右胸及び腹部を覆うように配置される。外側層１１４は、右肩の肩線１１０ａと、右肩から左脇腹の方向に伸びる襟部１１４ａと、左側の脇線部１２２と、右袖の袖刳り１４２の延長線上にある右側の脇線部１２２と、を有する。襟部１１４ａの一端は右肩の肩線１１０ａに繋がり、襟部１１４ａの他端は左側の脇線部１２２に繋がっている。外側層１１４の裾（下部）の両端は、各々、左側及び右側の脇線部１２２に繋がっている。
【００２２】
内側層１１２と、外側層１１４と、は、図１，図２に示すように、脇線部１２２及び肩線１１０ａにおいて、例えば縫製により、後身頃１２０に各々固定される。なお、外側層１１４の襟刳り部１１６（後述）の延長線上に繋がる布端（外側層１１４の、襟部１１４ａに繋がる左側の脇線部１２２）を、脇線部１２２において、ギャザーを設けて（つまり、ギャザーを寄せた状態で）後身頃１２０に、例えば縫製により固定し、外側層１１４のギャザーを設けて後身頃１２０に固定された側の下端部より内側層１１２が露出するようにしてもよい。これにより、前身頃がより立体的な仕立てとなり、美しいシルエットが実現できる。
【００２３】
前身頃１１０は、図１，図２に示すように、着用者の胸部付近まで開口したＶ字状の襟刳り部１１６を有する。襟刳り部１１６は、外側層１１４の襟部１１４ａと、内側層１１２の襟部１１２ａにより形成されており、襟部１１２ａと襟部１１４ａとは、突き合わせ部１１６ａに向かって延びるように形成されている。突き合わせ部１１６ａは、授乳服１００の略中心線上にあり、着用者の胸部付近に位置する。
【００２４】
後身頃１２０は、図１，３に示すように、脇線部１２２において前身頃１１０と接合している。後身頃１２０の裾（下部）の全幅は、前身頃１１０の裾（下部）の全幅より広くなっており、図３に示すように、脇線部１２２の上方部は、前身頃１１０の略中心線方向に延びるように、身体の前面方向に向かって形成されている。通常の衣服では、脇線は身体の側面の中心線に沿って形成されるが、本実施形態に係る授乳服１００では、脇線部１２２の上方部は身体の側面の中心線には沿わず、身体の前面に向かって延びるように形成されている。脇線部１２２を身体の側面の中心線からどの程度前面に出すかについては、生地の伸縮性の程度等により異なるが、例えば、綿素材のベア天竺の場合、身体の側面の中心線から脇線部１２２が最も前面に出ている箇所において、身体の側面の中心線と脇線部１２２との間の距離を例えば２〜３ｃｍとする。脇線部１２２が前面に出ていることで、後述するように、授乳をするための開口部１５０ａ，１５０ｂを開口しやすくなる。また、ウエスト部分が、着用者の身体のラインに沿う立体的な仕立てとなり、シルエットが美しく見える。また、人間は日常的に腕を前に出す動作を行う場合が多いが、脇線部１２２を前面に出すことで、後身頃１２０全体の幅を広くすることができ、身体の側面まで後身頃１２０で覆われることになるため、着用者は腕を前に出す動作をスムーズに行うことができる。
【００２５】
中間布１３０は、図４に示すように、ランニング様の形状をしており、丸首の襟部１３０ａ、サイド部１３０ｂ，１３０ｃ、及び肩部１３０ｄを有している。丸首の襟部１３０ａの両端は肩部１３０ｄに繋がり、サイド部１３０ｂ，１３０ｃの上端は肩部１３０ｄに、その下端は裾に各々繋がっている。中間布１３０は、襟部１３０ａを含む一端が襟刳り部１１６から露出するように、内側層１１２の内側（身体側）に配置されている（図１，図２）。中間布１３０は、着用者の肌や下着が外から見えないように胸部を覆い、かつ、後述するように、授乳をするための開口部１５０ａ，１５０ｂを開口させる役割を有する。
【００２６】
図５（ａ）に示すように、中間布１３０の肩部１３０ｄは、前身頃１１０及び後身頃１２０の肩線１１０ａに、例えば縫製により固定されている。また、中間布１３０の側端部１３０ｅは、前身頃１１０及び後身頃１２０の脇線部１２２に、例えば縫製により固定されている。このように、中間布１３０は、上部２箇所及び両サイドの下部２箇所で前身頃１１０及び後身頃１２０に固定されている。こうすることで、後述するように、体型にかかわらず授乳していないときに肌や下着が外から見えにくくなる。
【００２７】
中間布１３０は、図５（ａ），（ｂ）に示すように、授乳のための開口部１５０ａ，１５０ｂを開口するためのサイド部１３０ｂ，１３０ｃを有する。開口部１５０ａ，１５０ｂの開口の様子については、後述する。なお、図５（ａ），（ｂ）に示すように、中間布１３０の長さが前身頃１１０のそれよりも短い場合、生地のだぶつきを抑えることができ、シルエットが美しく見える。また、使用する生地を節約することができ、製造コストを抑えることが可能である。
【００２８】
図５（ｂ）に示すように、中間布１３０の外側（授乳服１００を裏返した状態の図５（ｂ）では、内側となる）に内側層１１２が配置され、その外側（同様に図５（ｂ）では、内側となる）に外側層１１４が配置されている。襟部１３０ａを含む中間布１３０の一端は、襟刳り部１１６（外側層１１４の襟部１１４ａと、内側層１１２の襟部１１２ａと、により形成されている）から露出するように配置されている。
【００２９】
前身頃１１０、後身頃１２０及び中間布１３０の生地には、スムーズに開口部１５０ａ，１５０ｂを開口させることができるように、また、汗をかきやすい授乳婦の汗を素早く吸収することができるように、伸縮性及び吸湿性のある素材が用いられる。例えば、ポリウレタン混紡の綿素材のベア天竺を好適に用いることができる。また、授乳服１００は、母乳や乳児の吐き戻しで汚れることが多く、頻繁に洗濯をする必要があるため、前身頃１１０、後身頃１２０及び中間布１３０に用いられる生地には、前述の伸縮性及び吸湿性に加えて、洗濯耐性及び速乾性に優れる素材を用いるのが好ましい。なお、前身頃１１０、後身頃１２０及び中間布１３０において、例えば、同一の生地を用いてもよいし、中間布１３０のみ別の素材の生地を用いてもよい。
【００３０】
次に、本実施形態に係る授乳服１００の製造方法の一例について説明する。
【００３１】
まず、生地を、前身頃１１０（内側層１１２及び外側層１１４）、後身頃１２０、中間布１３０、及び袖１４０の各パーツに裁断する。
【００３２】
前身頃１１０（内側層１１２及び外側層１１４）の肩線１１０ａにおける布端と、後身頃１２０の肩線１１０ａにおける布端と、中間布１３０の肩部１３０ｄにおける布端と、を互いに覆うようにして一度に縫合する。
【００３３】
前身頃１１０及び後身頃１２０の袖刳り１４２に、袖１４０を縫合する。
【００３４】
内側層１１２の右側の脇線部１２２における布端と、後身頃１２０の右側の脇線部１２２における布端と、中間布１３０の右側の側端部１３０ｅにおける布端と、を互いに覆うようにして一度に縫合する。
【００３５】
最後に、外側層１１４の左側の脇線部１２２における布端と、後身頃１２０の左側の脇線部１２２における布端と、中間布１３０の左側の側端部１３０ｅにおける布端と、を互いに覆うようにして一度に縫合する。
【００３６】
次に、図６，図７により、授乳のための開口部１５０ａ，１５０ｂを開口する手順を説明する。開口された開口部１５０ａ，１５０ｂから着用者の乳首を露出させて授乳を行う。
【００３７】
着用者の左胸に開口部１５０ａを開口する手順の一例を、図６を用いて説明する。まず、内側層１１２の襟部１１２ａを左手で掴んで左方向に引っ張り、中間布１３０のサイド部１３０ｂの一部を露出させる。次に、露出したサイド部１３０ｂを右手で掴んで右方向に引っ張ると、開口部１５０ａが開口される。次に、開口された開口部１５０ａから左側の乳首を露出させ、授乳を行う。このように、内側層１１２の襟部１１２ａと、中間布１３０のサイド部１３０ｂと、を互いに反対方向に引くことにより開口部１５０ａが開口され、授乳することができるようになる。なお、襟部１１２ａ及びサイド部１３０ｂを片手のみで掴んで引っ張ることで開口部１５０ａを開口させてもよい。また、サイド部１３０ｂを露出させずに、襟部１１２ａと中間布１３０との間に手を差し込んでサイド部１３０ｂを引っ張ることで開口部１５０ａを開口させ、襟部１１２ａを少し下げてから授乳してもよい。
【００３８】
同様に、着用者の右胸に開口部１５０ｂを開口する手順の一例を、図７を用いて説明する。まず、外側層１１４の襟部１１４ａを右手で掴んで右方向に引っ張り、中間布１３０のサイド部１３０ｃの一部を露出させる。次に、露出したサイド部１３０ｃを左手で掴んで左方向に引っ張ると、開口部１５０ｂが開口される。次に、開口された開口部１５０ｂから右側の乳首を露出させ、授乳を行う。このように、外側層１１４の襟部１１４ａと、中間布１３０のサイド部１３０ｃと、を互いに反対方向に引くことにより開口部１５０ｂが開口され、授乳することができるようになる。なお、前述同様、襟部１１４ａ及びサイド部１３０ｃを片手のみで掴んで引っ張ることで開口部１５０ｂを開口させてもよい。また、サイド部１３０ｃを露出させずに、襟部１１４ａと中間布１３０との間に手を差し込んでサイド部１３０ｃを引っ張ることで開口部１５０ｂを開口させ、襟部１１４ａを少し下げてから授乳してもよい。
【００３９】
本実施形態に係る授乳服１００では、前身頃１１０がカシュクール状に形成されているため（図１，図２）、襟部１１２ａ，１１４ａを手で掴んで引っ張ることで、無理に布地を引き寄せることなく、サイド部１３０ｂ，１３０ｃの一部を容易に露出させることができる。このため、容易に開口部１５０ａ，１５０ｂを開口できるようになる。
【００４０】
また、本実施形態に係る授乳服１００では、脇線部１２２が前面に出ている（図３）ことで、中間布１３０のサイド部１３０ｂ，１３０ｃは、身体の側面の中心線に沿った線よりも授乳服１００の略中心線寄りに位置している（図５（ａ），（ｂ））。そのため、襟部１１２ａ，１１４ａを手で引っ張って中間布１３０のサイド部１３０ｂ，１３０ｃを露出させる際に、襟部１１２ａ，１１４ａを着用者の身体の真横まで引っ張る必要なく、襟部１１２ａ，１１４ａを軽く引っ張るだけで、容易にサイド部１３０ｂ，１３０ｃを露出させることができる。また、前述の通りサイド部１３０ｂ，１３０ｃが授乳服１００の略中心線寄りに位置していることで、露出したサイド部１３０ｂ，１３０ｃを手で引っ張って開口部１５０ａ，１５０ｂを開口させる際にも、サイド部１３０ｂ，１３０ｃを軽く引っ張るだけで、容易に開口部１５０ａ，１５０ｂを開口させることができ、同時に、顎などで中間布１３０を押さえなくても開口部１５０ａ，１５０ｂを形成させたままの状態を維持することができる。
【００４１】
このように、本実施形態に係る授乳服１００によれば、容易に授乳のための開口部を開口させることができるため、授乳の準備の手間が軽減され、乳児の要求に応じて素早く授乳を行うことができる。また、開口部を開口させたままの状態を容易に維持することができるため、乳児の口に乳首を含ませる際などに中間布１３０が邪魔になることなく、スムーズに行うことができる。特に外出中の授乳においては、乳児を横たわらせておくスペースがないために乳児を抱いたまま授乳の準備をしなければならない場合があるが、本実施形態に係る授乳服１００では、大きな動作をする必要なく容易に開口部１５０ａ，１５０ｂを開口することができるため、乳児を抱いたままでも、素早く授乳をすることができる。
【００４２】
また、本実施形態に係る授乳服１００では、中間布１３０が上部２箇所及び両サイドの下部２箇所で授乳服１００本体に固定されている（図５（ａ））ため、体型にかかわらず授乳していないときに肌や下着が外から見えにくい構造となっている。具体的に説明すると、前述の通り、サイド部１３０ｂ，１３０ｃが授乳服１００の略中心線寄りに位置しているため、体型によっては授乳していないときに着用者の肌や下着がサイド部１３０ｂ，１３０ｃからはみ出し、前身頃１１０の襟刳り部１１６から見えてしまうことが懸念されるが、中間布１３０は、前述の通り、上下左右の合計４箇所で授乳服１００本体に固定されているため、中間布１３０が前身頃１１０の内側でよじれてしまう可能性が低い。そのため、体型にかかわらず、中間布１３０は着用者の胸部や腹部を十分に覆うことができ、かがんだ姿勢などでも、肌や下着が外から見えにくい。
【００４３】
また、本実施形態に係る授乳服１００では、授乳後に、容易に授乳服１００を着用時の元の状態に戻して整えることができる。具体的には、前身頃１１０がカシュクール状に形成されているため、授乳時に開口部１５０ａ，１５０ｂを開口するために袖１４０の方向に引き寄せておいた襟部１１２ａ，１１４ａを、授乳後は手で身体の略中心線方向に引き寄せることで、容易に前身頃１１０を元の状態に戻して整えることができる。また、授乳後には、たくし上げていたサイド部１３０ｂ，１３０ｃを元に位置に戻す必要があるが、中間布１３０は上部２箇所及び両サイドの下部２箇所で授乳服１００本体に固定されているため、サイド部１３０ｂ，１３０ｃを元の位置に戻す時に、中間布１３０が前身頃１１０の内側でよじれてしまう可能性が低くなる。そのため、授乳後に、前身頃１１０を容易に整えることができ、かつ、中間布１３０についても何度もしわを伸ばしたり方々から引っ張ったりすることなく、容易に元の着用時の状態に戻して整えることができる。特に、授乳後に寝入ってしまった乳児を抱きながら授乳服を整える場合や、外出時に乳児を抱いたまま授乳服を整えなければならない場合でも、本実施形態に係る授乳服１００では、大きな動作をする必要なく素早く授乳服１００を着用時の元の状態に戻して整えることができる。
【００４４】
また、本実施形態に係る授乳服１００は、前述の通り、前身頃１１０と、後身頃１２０と、中間布１３０と、袖１４０とからなる（図１）。とかく授乳服においては複雑なデザインとなりがちであるが、シンプルなデザインの本実施形態に係る授乳服１００では、余分な生地を使うことがなく、また縫製工程を減らすことができるため、製造コストを抑えることが可能である。
【００４５】
また、本実施形態に係る授乳服１００では、脇線部１２２が前面に出ている（図３）ことで、着用者の身体のラインに沿う立体的な仕立てとなるため、美しいシルエットを実現できる。また、同様に脇線部１２２が前面に出ていることで、腕の上げ下げにも負担がかかりにくくなり、着用者はスムーズに身体を動かすことができる。
【００４６】
また、本実施形態に係る授乳服１００では、着用者の腹部を、内側層１１２と、外側層１１４と、中間布１３０と、の合計３枚の布で覆うことになる。このため、本実施形態に係る授乳服１００によれば、産後の腹部のふくらみが気になる場合でも、効果的に腹部を目立たなくすることができる。
【００４７】
なお、この考案は上記実施の形態に限定されず、種々の変形及び応用が可能である。例えば、本実施形態においては、図５（ａ）に示したように、中間布１３０の肩部１３０ｄが肩線１１０ａに固定されている形態について説明したが、図８に示すように、肩部１３０ｄが肩線１１０ａに固定されるとともに、肩部１３０ｄに続く袖部１３０ｆが袖刳り１４２に固定された授乳服２００の形態であってもよい。こうすることで、中間布１３０によって着用者の胸部をより広く覆うことができるため、体型にかかわらず、かがんだ姿勢などでも、より肌や下着が外から見えにくくなる。
【００４８】
また、本実施形態においては、図５（ａ），（ｂ）に示したように、中間布１３０の長さが前身頃１１０のそれよりも短い形態について説明したが、中間布１３０の長さは、前身頃１１０のそれと同程度であってもよい。こうすることで、より効果的に腹部を目立たなくすることができる。
【００４９】
また、本実施形態においては、図１，図２に示したように、外側層１１４の左下端部より内側層１１２の布地が露出している（見えている）形態について説明したが、デザイン上、外側層１１４と内側層１１２との長さを同程度又は外側層１１４よりも内側層１１２の長さを短くして、外側層１１４の左下端部から内側層１１２の布地が見えなくなるようにしてもよい。
【００５０】
また、本実施形態においては、図１，図２等に示したように、上衣として仕立てられた授乳服１００の形態について説明したが、ワンピース、ジャンパースカート等の形態で仕立てられてもよい。ワンピースやジャンパースカートの形態の場合、例えば、前身頃１１０及び後身頃１２０の丈を膝の辺りまでにしてもよいし、前身頃１１０及び後身頃１２０の裾（下部）をスカート部分に例えば縫合により固定してもよい。
【００５１】
また、本実施形態においては、図１，図２等に示したように、丸首の襟部１３０ａを有する授乳服１００の形態について説明したが、襟部の形態は、スクエアネック、タートルネック等でもよい。
【００５２】
また、本実施形態においては、図１，図２等に示したように、内側層１１２が着用者の左胸及び腹部を覆うように配置され、外側層１１４が着用者の右胸及び腹部を覆うように配置される形態について説明したが、左右逆にして、内側層１１２が着用者の右胸及び腹部を覆うように配置し、外側層１１４が着用者の左胸及び腹部を覆うように配置してもよい。
【００５３】
また、本実施形態においては、図１，図２等に示したように、袖１４０が長袖の形態について説明したが、袖については、半袖、七部袖等でもよい。
【符号の説明】
【００５４】
１００，２００  授乳服
１１０  前身頃
１１０ａ  肩線
１１２  内側層
１１２ａ  襟部
１１４  外側層
１１４ａ  襟部
１１６  襟刳り部
１１６ａ  突き合わせ部
１２０  後身頃
１２２  脇線部
１３０  中間布
１３０ａ  襟部
１３０ｂ  サイド部
１３０ｃ  サイド部
１３０ｄ  肩部
１３０ｅ  側端部
１３０ｆ  袖部
１４０  袖
１４２  袖刳り
１５０ａ，１５０ｂ  開口部
【図１】
0003181803.tif 000003
【図２】
0003181803.tif 000004
【図３】
0003181803.tif 000005
【図４】
0003181803.tif 000006
【図５】
0003181803.tif 000007
【図６】
0003181803.tif 000008
【図７】
0003181803.tif 000009
【図８】
0003181803.tif 000010